【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
データが記入され計算機で読み取られる帳票であって、
前記帳票は、記入シートと複写シートで構成され、前記複写シートが計算機で読み取られる帳票であって、
前記帳票は、計算機で読み取られる際の読取り領域の高さと方向と開始位置を示す開始記号及び計算機で読み取られる際の読取り領域の終了位置を示す終了記号を有し、
処理対象領域が、開始記号と終了記号と罫線または不記載領域で囲まれ、
前記複写シートの開始記号、終了記号内あるいはデータが記入されない位置にブレ度合検出用の記号を表記していることを特徴とする帳票。
【請求項２】
データが記入され計算機で読み取られる帳票の処理対象領域を含む画像を入力する画像入力部と、
前記画像入力部で入力した入力画像から、開始記号及び終了記号を検出する領域記号検出部と、
前記領域記号検出部で検出した開始記号及び終了記号の位置と高さと方向を用いて、前記画像入力部で入力した入力画像から、処理対象領域の画像を抽出する領域画像抽出部と、
前記領域画像抽出部で抽出した処理対象領域画像に記載されている内容を、開始記号及び終了記号の種類に従って処理する処理部と、
前記処理部で処理した結果を出力する出力部と、
前記領域記号検出部で検出した開始記号及び終了記号の位置を用いて、前記画像入力部で入力した入力画像から、ブレ度合検出用記号を検出し、ブレ度合を求めるブレ度合検出部と、を有し、
前記領域画像抽出部が、
前記領域記号検出部で検出した開始記号及び終了記号の位置と高さと方向を用いて、前記画像入力部で入力した入力画像から、処理対象領域の画像を抽出し、
前記ブレ度合検出部で検出したブレ度合に応じて処理対象領域画像をブレ補正し、
処理対象領域が変形している場合は、処理対象領域画像を補正することを特徴とする帳票処理装置。
【請求項３】
前記ブレ度合検出部で検出したブレ度合が大きい場合は、再度前記画像入力部の処理を実施するブレ度合検証部を有することを特徴とする請求項２記載の帳票処理装置。
【請求項４】
処理対象領域を含む画像を入力する画像入力ステップと、
前記画像入力ステップで入力した入力画像から、開始記号及び終了記号を検出する領域記号検出ステップと、
前記領域記号検出ステップで検出した開始記号及び終了記号の位置と高さと方向と種類を用いて処理対象領域を抽出する領域抽出ステップと、
前記領域抽出ステップで抽出した処理対象領域に記載されている内容を開始記号及び終了記号の種類に従って処理する処理ステップと、
前記処理ステップで処理した結果を出力する出力ステップと、
前記領域記号検出ステップで検出した開始記号及び終了記号の位置を用いて、前記画像入力ステップで入力した入力画像から、ブレ度合検出用記号を検出し、ブレ度合を求めるブレ度合検出ステップと、を有し、
前記領域抽出ステップでは、
前記領域記号検出ステップで検出した開始記号及び終了記号の位置と高さと方向を用いて、前記画像入力ステップで入力した入力画像から、処理対象領域の画像を抽出し、
前記ブレ度合検出ステップで検出したブレ度合に応じて処理対象領域画像をブレ補正し、
処理対象領域が変形している場合は、処理対象領域画像を補正することを特徴とする帳票処理方法。
【手続補正２】
【補正対象書類名】明細書
【補正対象項目名】発明の名称
【補正方法】変更
【補正の内容】
【発明の名称】帳票、帳票処理装置及び帳票処理方法
【手続補正３】
【補正対象書類名】明細書
【補正対象項目名】０００１
【補正方法】変更
【補正の内容】
【０００１】
本発明は、情報の項目の種類とその内容の記入位置が示された帳票と、内容が記入された後の帳票を画像入力して処理する帳票、帳票処理装置及び帳票処理方法に関するものである。
【手続補正４】
【補正対象書類名】明細書
【補正対象項目名】０００７
【補正方法】変更
【補正の内容】
【０００７】
本発明は、前記従来の課題を解決するもので、カメラ等の帳票撮影状態が不安定な画像入力装置で帳票画像を入力した場合でも、高速に精度良く、各項目の入力画像内の記載位置を特定し、各項目毎の処理を行うことができる帳票、帳票処理装置及び帳票処理方法を提供することを目的とする。
【手続補正５】
【補正対象書類名】明細書
【補正対象項目名】０００８
【補正方法】変更
【補正の内容】
【０００８】
本発明の帳票は、データが記入され計算機で読み取られる帳票であって、前記帳票は、記入シートと複写シートで構成され、前記複写シートが計算機で読み取られる帳票であって、前記帳票は、計算機で読み取られる際の読取り領域の高さと方向と開始位置を示す開始記号及び計算機で読み取られる際の読取り領域の終了位置を示す終了記号を有し、処理対象領域が、開始記号と終了記号と罫線または不記載領域で囲まれ、前記複写シートの開始記号、終了記号内あるいはデータが記入されない位置にブレ度合検出用の記号を表記していることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
また、本発明の帳票処理装置は、データが記入され計算機で読み取られる帳票の処理対象領域を含む画像を入力する画像入力部と、前記画像入力部で入力した入力画像から、開始記号及び終了記号を検出する領域記号検出部と、前記領域記号検出部で検出した開始記号及び終了記号の位置と高さと方向を用いて、前記画像入力部で入力した入力画像から、処理対象領域の画像を抽出する領域画像抽出部と、前記領域画像抽出部で抽出した処理対象領域画像に記載されている内容を、開始記号及び終了記号の種類に従って処理する処理部と、前記処理部で処理した結果を出力する出力部と、前記領域記号検出部で検出した開始記号及び終了記号の位置を用いて、前記画像入力部で入力した入力画像から、ブレ度合検出用記号を検出し、ブレ度合を求めるブレ度合検出部と、を有し、前記領域画像抽出部が、前記領域記号検出部で検出した開始記号及び終了記号の位置と高さと方向を用いて、前記画像入力部で入力した入力画像から、処理対象領域の画像を抽出し、前記ブレ度合検出部で検出したブレ度合に応じて処理対象領域画像をブレ補正し、処理対象領域が変形している場合は、処理対象領域画像を補正することを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
また、本発明の帳票処理方法は、処理対象領域を含む画像を入力する画像入力ステップと、前記画像入力ステップで入力した入力画像から、開始記号及び終了記号を検出する領域記号検出ステップと、前記領域記号検出ステップで検出した開始記号及び終了記号の位置と高さと方向と種類を用いて処理対象領域を抽出する領域抽出ステップと、前記領域抽出ステップで抽出した処理対象領域に記載されている内容を開始記号及び終了記号の種類に従って処理する処理ステップと、前記処理ステップで処理した結果を出力する出力ステップと、前記領域記号検出ステップで検出した開始記号及び終了記号の位置を用いて、前記画像入力ステップで入力した入力画像から、ブレ度合検出用記号を検出し、ブレ度合を求めるブレ度合検出ステップと、を有し、前記領域抽出ステップでは、前記領域記号検出ステップで検出した開始記号及び終了記号の位置と高さと方向を用いて、前記画像入力ステップで入力した入力画像から、処理対象領域の画像を抽出し、前記ブレ度合検出ステップで検出したブレ度合に応じて処理対象領域画像をブレ補正し、処理対象領域が変形している場合は、処理対象領域画像を補正することを特徴とする。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
本発明の帳票、帳票処理装置及び帳票処理方法によれば、項目の開始記号及び終了記号を抽出するだけで項目領域を特定でき、入力画像の変動に、高速に精度良く対応できる。